(57)【要約】【課題】ダイバーシティ受信機能を有する場合、測定された電波の指標を適切に出力する。【解決手段】受信用に第１のアンテナ及び第２のアンテナを備えた移動通信装置のダイバーシティ動作制御部は、ダイバーシティ受信の設定を調べ（ステップＳ１０２）、その設定が「非ダイバーシティモード」である場合、第１のアンテナによって受信された電波のＲＳＳＩを第１の形式で表示し（ステップＳ１０５）、ダイバーシティ受信を行う場合、第１のアンテナと第２のアンテナとの、それぞれによって受信された電波のＲＳＳＩを第２の形式で表示する（ステップＳ１１１）。上記設定が「自動切り替えモード」であって、ダイバーシティ受信を行わない場合、第１のアンテナによって受信された電波のＲＳＳＩを上記第１の形式と異なる第３の形式で表示する（ステップＳ１１４）。【選択図】図２
2010124289.tif 000002
【特許請求の範囲】
【請求項１】
第１のアンテナを用いた受信、又は、前記第１のアンテナと前記第１のアンテナと異なる第２のアンテナとを用いたダイバーシティ受信を行う移動通信装置であって、
前記第１のアンテナによって受信された電波の指標と、前記第２のアンテナによって受信された電波の指標とを出力手段から出力させるダイバーシティ受信制御手段を有し、
前記ダイバーシティ受信制御手段は、前記第１のアンテナを用いた受信が行われている場合、前記第２のアンテナによって受信された電波の指標に代えて、所定の文字列を出力させる
ことを特徴とする移動通信装置。
【請求項２】
第１のアンテナを用いた受信、又は、前記第１のアンテナと前記第１のアンテナと異なる第２のアンテナとを用いたダイバーシティ受信を行う移動通信装置であって、
前記ダイバーシティ受信を（ａ）行う設定、（ｂ）行わない設定、及び、（ｃ）前記第１のアンテナによって受信された電波の指標に従って行うか否かを判定する設定の中のいずれか１つの設定を選択するダイバーシティ受信設定手段と、
前記ダイバーシティ受信設定手段によって選択された設定、及び、前記第１のアンテナによって受信された電波の指標に従って、前記ダイバーシティ受信を行うか否かを判定すると共に、前記第１のアンテナによって受信された電波の指標と、前記第２のアンテナによって受信された電波の指標とを出力手段に出力させるダイバーシティ受信制御手段とを有し、
前記ダイバーシティ受信制御手段は、前記ダイバーシティ受信を行わない設定が選択されている場合、前記第２のアンテナによって受信された電波の指標に代えて、第１の文字列を出力させ、かつ、前記第１のアンテナによって受信された電波の指標に従って前記ダイバーシティ受信を行わないと判定されている場合、前記第２のアンテナによって受信された電波の指標に代えて、前記第１の文字列と異なる第２の文字列を出力させる
ことを特徴とする移動通信装置。
【請求項３】
前記受信された電波の指標は、受信された電波の強度、及び／又は、受信された電波の信号対雑音電力比である
ことを特徴とする請求項１又は請求項２に記載の移動通信装置。
【発明の詳細な説明】
【技術分野】
【０００１】
本発明は、移動通信装置に係り、特に、ダイバーシティ受信機能を有する装置における受信された電波の指標の出力に関する。
【背景技術】
【０００２】
移動通信装置は、主アンテナを用いて基地局から送信された電波を受信する処理に併せて、ダイバーシティ受信、即ち、主アンテナに加え、例えば、１つの副アンテナを用いて基地局から送信された電波を受信する処理によって、受信性能を高める処理が知られている。
【０００３】
ダイバーシティ受信処理の一例は、主アンテナ及び副アンテナのそれぞれによって受信された基地局から送信された電波の指標を測定し、受信された電波の指標が高いアンテナを用いて電波の受信を行う処理である。ここで、電波の指標は、電波の受信によって得られた高周波信号の強度や信号対雑音電力比などによって測定する。また、別の一例は、主アンテナ及び副アンテナのそれぞれによって受信された電波を復調し、復調結果を合成する処理である。ここで、合成の一例は、受信された電波の指標が高いアンテナによって受信された電波の復調結果の選択である。
【０００４】
ダイバーシティ受信処理には、主アンテナのみを用いた受信処理に比較して多くの電力が消費される。そこで、電池に蓄えられた電力によって動作する装置は、消費される電力を削減するため、受信状態に応じてダイバーシティ受信を行い、又は、行わない処理が知られている（例えば、特許文献１参照。）。また、ダイバーシティ受信によって受信性能を充分に高めるべく、それぞれのアンテナによって受信された電波の強度の測定値を表示する処理が知られている（例えば、特許文献２参照。）。
【特許文献１】特開２０００−３３２６６５号公報（第２−４頁、図１）
【特許文献２】特開２００４−１２８９７６号公報（第２、６頁、図３）
【発明の開示】
【発明が解決しようとする課題】
【０００５】
電池に蓄えられた電力によって動作する移動通信装置の設計及び開発の際、ダイバーシティ受信を行わせた場合、また、行わせない場合の受信性能を評価することが重要である。そのため、各種の電波状況において、それぞれの場合の受信性能を試験し、受信された電波の指標を測定する。
【０００６】
しかしながら、上述した特許文献１に開示された方法では、受信性能の試験に触れられていない。また、上述した特許文献２に開示された方法では、ダイバーシティ受信機能を有する場合、測定された電波の指標を如何に表示するかが明らかでない問題点があった。
【０００７】
本発明は、上記問題点を解決するためになされたもので、ダイバーシティ受信機能を有する場合、測定された電波の指標を適切に出力する移動通信装置を提供することを目的とする。
【課題を解決するための手段】
【０００８】
上記目的を達成するために、本発明の移動通信装置は、第１のアンテナを用いた受信、又は、前記第１のアンテナと前記第１のアンテナと異なる第２のアンテナとを用いたダイバーシティ受信を行う移動通信装置であって、前記第１のアンテナによって受信された電波の指標と、前記第２のアンテナによって受信された電波の指標とを出力手段から出力させるダイバーシティ受信制御手段を有し、前記ダイバーシティ受信制御手段は、前記第１のアンテナを用いた受信が行われている場合、前記第２のアンテナによって受信された電波の指標に代えて、所定の文字列を出力させることを特徴とする。
【発明の効果】
【０００９】
本発明によれば、ダイバーシティ受信機能を有する場合、測定された電波の指標を適切に出力することができる。
【発明を実施するための最良の形態】
【００１０】
以下に、本発明による移動通信装置の実施の形態を、図面を参照して説明する。図１は、本発明の実施の形態に係る移動通信装置の構成を示すブロック図である。この移動通信装置は、装置全体の制御を行う制御部１１と、第１のアンテナ１２ａと、第２のアンテナ１２ｂと、第１、第２のアンテナ１２ａ、１２ｂが接続されたアンテナスイッチ部１３と、通信部１４と、送受信部１５と、受話用のスピーカ１６ａと、送話用のマイクロフォン１６ｂと、通話部１６ｃと、表示部１７と、入力部１８と、ダイバーシティ動作制御部２１と、ダイバーシティ設定記憶部２２とからなる。ダイバーシティ設定記憶部２２には、ダイバーシティ設定が記憶される。
【００１１】
上記のように構成された、本発明の実施形態に係る移動通信装置の各部の動作を図１を参照して説明する。
【００１２】
アンテナスイッチ部１３は、制御に従って、第１、第２のアンテナ１２ａ、１２ｂの一方を選択し、選択されたアンテナを受信用アンテナとして通信部１４と接続させる。送信用アンテナとしては、常に第１のアンテナ１２ａを通信部１４と接続させる。
【００１３】
通信部１４は、基地局（図示せず）から送信され、アンテナスイッチ部１３によって切り替えられたアンテナによって受信された高周波信号を送受信部１５へ送ると共に、この受信された高周波信号の指標、即ち、ＲＳＳＩ（Received Signal Strength Indicator、電波の強度）と、信号対雑音電力比とを測定し、それらの測定値と、通信している基地局に係る情報とを装置の各部からの要求に応じて各部へ送信する。通信部１４は、更に、送受信部１５から送られた高周波信号を、アンテナスイッチ部１３を介して第１のアンテナ１２ａより基地局へ送信する。
【００１４】
送受信部１５は、通信部１４からの高周波信号を増幅、周波数変換及び復調し、それによってディジタル信号を得て、得られた通話音声データを通話部１６ｃに、制御信号を制御部１１に送る。更には、送受信部１５は、ディジタル信号、即ち、通話部１６ｃから送られる通話音声データ、及び制御部１１から送られる制御信号を変調、周波数変換及び増幅し、高周波信号を得て、それを通信部１４に送る。
【００１５】
通話部１６ｃは、送受信部１５から送られるディジタル音声データをアナログ音声データに変換し、それを増幅してスピーカ１６ａに送る。また、マイクロフォン１６ｂによって入力されたアナログ音声データを増幅し、それをディジタル音声データに変換して送受信部１５に送信する。
【００１６】
表示部１７は、制御部１１に制御されることで、文字・数字や映像データの表示動作を行い、表示されているデータは、入力部１８からの入力操作や着信信号に応答して制御部１１からの指示を受けることで切換わる。
【００１７】
入力部１８は、通信相手の電話番号などを指定するための数字キーと複数の機能キーを含むキーからなる。そして、入力部１８のキーが操作されると、そのキーの識別子が制御部１１に通知され、制御部１１によって、表示部１７に文字として表示され、又は、制御が行われる。
【００１８】
ダイバーシティ動作制御部２１は、通信部１４から送信されたアンテナによって受信された高周波信号の指標、例えば、強度を表示部１７に表示させると共に、その指標と、ダイバーシティ設定記憶部２２に記憶されたダイバーシティ設定とに従って、ダイバーシティ受信を行うか否かを判定し、その判定に従ってアンテナスイッチ部１３を制御する。
【００１９】
以下、本実施形態に係る移動通信装置における、電波の強度の測定値を適切に出力する動作を説明する。
【００２０】
まず、ダイバーシティ設定記憶部２２に記憶されたダイバーシティ設定を説明する。このダイバーシティ設定は、「ダイバーシティモード」、「自動切り替えモード」、及び、「非ダイバーシティモード」の中のいずれか１つの設定である。
【００２１】
制御部１１は、ダイバーシティ設定記憶部２２に記憶されたダイバーシティ設定を識別する情報を表示部１７に表示させ、かつ、ダイバーシティ設定をダイバーシティ設定記憶部２２に記憶させる。
【００２２】
即ち、制御部１１は、入力部１８の所定のキー操作に基づいて、表示部１７に第１のダイバーシティ設定画面を表示させる。この画面には、「ダイバーシティ受信を行う」及び「ダイバーシティ受信を行わない」の２つの選択肢が表示される。ここで、過去に選択されたことが制御部１１内に記憶されている選択肢を識別可能に表示させる。更に、制御部１１は、表示された選択肢の１つが入力部１８の所定のキー操作に基づいて選択されると、選択された選択肢を制御部１１内に記憶する。
【００２３】
また、制御部１１は、入力部１８の上記「ダイバーシティ受信を行う」及び「ダイバーシティ受信を行わない」の２つの選択肢が表示される画面を表示する操作とは別の所定のキー操作に基づいて、表示部１７に第２のダイバーシティ設定画面を表示させる。この画面には、「常に行う」及び「自動切り替えで行う」の２つの選択肢が表示される。ここで、過去に選択されたことが制御部１１内に記憶されている選択肢を識別可能に表示させる。更に、制御部１１は、表示された選択肢の１つが入力部１８の所定のキー操作に基づいて選択されると、選択された選択肢を制御部１１内に記憶する。
【００２４】
制御部１１は、制御部１１内に選択された選択肢が新たに記憶されると、記憶された選択肢を調べ、「ダイバーシティ受信を行う」及び「常に行う」が記憶されている場合、「ダイバーシティモード」を、「ダイバーシティ受信を行う」及び「自動切り替えで行う」が記憶されている場合、「自動切り替えモード」を、そして、「ダイバーシティ受信を行わない」が記憶されている場合、「非ダイバーシティモード」を、それぞれダイバーシティ設定として選択し、選択されたダイバーシティ設定をダイバーシティ設定記憶部２２に記憶させる。
【００２５】
また、制御部１１は、入力部１８の所定のキー操作に基づいて、ダイバーシティ受信試験の設定を行い、又は、その設定を解除し、設定が行われたか、また、解除されたかを制御部１１内に記憶する。そして、ダイバーシティ受信試験の設定が行われ、かつ、送受信部１５が受信動作をしている際に、所定時間間隔でダイバーシティ動作制御部２１を動作させる。
【００２６】
図２は、ダイバーシティ動作制御部２１のダイバーシティ受信制御の動作のフローチャートを示す。ダイバーシティ動作制御部２１は、制御部１１によって起動されて所定時間間隔で動作を開始し（ステップＳ１０１）、ダイバーシティ設定を調べる（ステップＳ１０２）。ダイバーシティ設定が「非ダイバーシティモード」である場合、アンテナスイッチ部１３を制御して、受信用アンテナとして第１のアンテナ１２ａを選択させる（ステップＳ１０３）。
【００２７】
そして、ダイバーシティ動作制御部２１は、選択された第１のアンテナ１２ａによって受信された電波のＲＳＳＩを通信部１４から受信し（ステップＳ１０４）、そのＲＳＳＩを第１の形式で表示部１７に表示させて（ステップＳ１０５）、ダイバーシティ受信制御の動作を終了する（ステップＳ１０６）。なお、動作が終了しても、制御部１１によってダイバーシティ受信試験の設定がされている限り、表示部１７の表示は継続される。
【００２８】
ステップＳ１０２で、ダイバーシティ設定が「ダイバーシティモード」又は「自動切り替えモード」である場合、ダイバーシティ動作制御部２１は、アンテナスイッチ部１３を制御して、受信用アンテナとして第１、第２のアンテナ１２ａ、１２ｂの両方を短時間ずつ選択させ（ステップＳ１０７）、それぞれのアンテナによって受信された電波のＲＳＳＩを通信部１４から受信する（ステップＳ１０８）。
【００２９】
ダイバーシティ動作制御部２１は、続いて、ダイバーシティ設定を調べ（ステップＳ１０９）、ダイバーシティ設定が「ダイバーシティモード」である場合、アンテナスイッチ部１３を制御して、ステップＳ１０８で受信されたＲＳＳＩが大きいアンテナを受信用アンテナとして選択させ（ステップＳ１１０）、ステップＳ１０８で受信されたＲＳＳＩを第２の形式で表示部１７に表示させて（ステップＳ１１１）、ダイバーシティ受信制御の動作を終了する（ステップＳ１０６）。
【００３０】
ステップＳ１０９で、ダイバーシティ設定が「自動切り替えモード」である場合、ダイバーシティ動作制御部２１は、第１のアンテナ１２ａによって受信された電波のＲＳＳＩと所定の閾値とを比較し（ステップＳ１１２）、そのＲＳＳＩがその閾値より小さい場合、ステップＳ１１０の動作に移る。これは、第１のアンテナ１２ａによって充分な受信された電波の指標が得られていないので、ダイバーシティ受信は必要と判定したことを意味する。
【００３１】
一方、そのＲＳＳＩがその閾値より大きい場合、ダイバーシティ動作制御部２１は、アンテナスイッチ部１３を制御して、受信用アンテナとして第１のアンテナ１２ａを選択させる（ステップＳ１１３）。このステップＳ１１３の動作は、ステップＳ１０３の動作と同じである。これは、第１のアンテナ１２ａによって充分な受信された電波の指標が得られているので、ダイバーシティ受信は不要と判定したことを意味する。
【００３２】
そして、ダイバーシティ動作制御部２１は、第１のアンテナ１２ａによって受信された電波のＲＳＳＩを第３の形式で表示部１７に表示させて（ステップＳ１１４）、ダイバーシティ受信制御の動作を終了する（ステップＳ１０６）。
【００３３】
ここで、ＲＳＳＩを表示部１７に表示される第１〜第３の形式を説明する。図３は第１の形式の表示、図４は第２の形式の表示、そして、図５は第３の形式の表示の一例を示す。いずれの形式においても、表示部１７の表示画面の全面に渡り、ＲＳＳＩ表示１７ａと、ＲＳＳＩ以外の試験結果表示１７ｂとが表示されている。多くの試験結果を一覧表示させるため、空白行は略ない。ＲＳＳＩ以外の試験結果表示１７ｂには、第１、第２のアンテナ１２ａ、１２ｂによって受信された電波の信号対雑音電力比や、受信された電波を送信した基地局に係る情報などが含まれる。
【００３４】
第１の形式において、ＲＳＳＩ表示１７ａは、「RX0 RSSI:-80dBm RX1 RSSI:***dBm」なる文字列であって、第１のアンテナ１２ａによって受信された電波のＲＳＳＩは、−８０ｄＢｍであることが表示され、第２のアンテナ１２ｂによって受信された電波のＲＳＳＩに代えて、「＊＊＊」なる文字列が表示されている。
【００３５】
第２の形式において、ＲＳＳＩ表示１７ａは、「RX0 RSSI:-80dBm RX1 RSSI:-85dBm」なる文字列であって、第１のアンテナ１２ａによって受信された電波のＲＳＳＩは、−８０ｄＢｍであることが表示され、第２のアンテナ１２ｂによって受信された電波のＲＳＳＩは、−８５ｄＢｍであることが表示されている。
【００３６】
第３の形式において、ＲＳＳＩ表示１７ａは、「RX0 RSSI:-80dBm RX1 RSSI:---dBm」なる文字列であって、第１のアンテナ１２ａによって受信された電波のＲＳＳＩは、−８０ｄＢｍであることが表示され、第２のアンテナ１２ｂによって受信された電波のＲＳＳＩに代えて、「‐‐‐」なる文字列が表示されている。
【００３７】
いずれの形式においても、ＲＳＳＩ表示１７ａは、１行に表示され、その行には、更に多くの文字を表示させる余裕は略ない。ＲＳＳＩ表示１７ａは、如何なるダイバーシティ設定の際の試験結果の表示であるかを、一見して誤解なく理解できるような表示である。
【００３８】
ここで、第１の形式と、第３の形式とでは、いずれも、第２のアンテナ１２ｂによって受信された電波のＲＳＳＩは意味を持たず、測定値が表示されることはない。しかし、これらの２つの形式で、その測定値に代えて表示される内容が異なることが必須である。
【００３９】
即ち、ＲＳＳＩ表示１７ａを一覧することによって、ダイバーシティ設定が「非ダイバーシティモード」であるのか、又は、ダイバーシティ設定が「自動切り替えモード」であって、第１のアンテナ１２ａによって受信された電波のＲＳＳＩが所定の閾値より大きいのか、いずれであるかが容易に、誤解なく理解でき、ダイバーシティ設定画面を表示させてダイバーシティ設定を確認する必要がない。そこで、受信性能の試験を効率的に進めることができる。
【００４０】
以上説明したように、本発明によれば、ダイバーシティ受信を行う場合、測定された電波の指標を適切に出力するだけでなく、ダイバーシティ受信機能を有していながらダイバーシティ受信を行わない場合、測定された電波の指標を適切に出力することができる。
【００４１】
以上の説明では、第２のアンテナ１２ｂによって受信されたＲＳＳＩの表示に代えて、第１の形式と、第３の形式とで、それぞれ「＊＊＊」なる文字列と、「‐‐‐」なる文字列とが表示されるとしたが、これらに限るものではない。例えば、「非」なる文字列と、「不要」なる文字列とであっても良い。
【００４２】
以上の説明では、装置は、２つの受信用アンテナを有するとしたが、これに限るものではなく、３つ以上の受信用アンテナを有していても良い。いずれの場合であっても、主となるアンテナであって、常に用いられるアンテナは１つであり、その他は、副となるアンテナであって、ダイバーシティ受信に用いられる。
【００４３】
以上の説明では、ダイバーシティ受信は、アンテナスイッチ部１３によって第１、第２のアンテナ１２ａ、１２ｂのいずれかを一方を選択することによって行われるとしたが、これに限るものではない。送受信部１５は、第１、第２のアンテナ１２ａ、１２ｂによって受信された電波の両方に対して受信処理を行い、その処理が行われた信号を合成することによって行われるとしても良い。
【００４４】
以上の説明では、測定されたＲＳＳＩは、表示部１７に表示されるとしたが、これに限るものではない。例えば、記憶部（図示せず）に記憶され、その後、記憶部から読み出されて表示されても良い。
【００４５】
更に、表示部接続部（図示せず）へ出力されることによって、その接続部に接続された表示装置に表示、また、外部記憶媒体接続部（図示せず）へ出力されることによって、その接続部に接続された外部記憶媒体に記憶させても良い。更に、プリンタ接続部（図示せず）へ出力されることによって、その接続部に接続されたプリンタによって印字されても良い。本発明は以上の構成に限定されるものではなく、種々の変形が可能である。
【図面の簡単な説明】
【００４６】
【図１】本発明の実施形態に係る移動通信装置の構成を示すブロック図。
【図２】本発明の実施形態に係るダイバーシティ動作制御部のダイバーシティ受信制御の動作のフローチャート。
【図３】本発明の実施形態に係る第１の形式によるＲＳＳＩの表示の例。
【図４】本発明の実施形態に係る第２の形式によるＲＳＳＩの表示の例。
【図５】本発明の実施形態に係る第３の形式によるＲＳＳＩの表示の例。
【符号の説明】
【００４７】
１１  制御部
１２ａ  第１のアンテナ
１２ｂ  第２のアンテナ
１３  アンテナスイッチ部
１４  通信部
１５  送受信部
１７  表示部
１７ａ  ＲＳＳＩ表示
１７ｂ  ＲＳＳＩ以外の試験結果表示
２１  ダイバーシティ動作制御部
２２  ダイバーシティ設定記憶部
【図１】
2010124289.tif 000003
【図２】
2010124289.tif 000004
【図３】
2010124289.tif 000005
【図４】
2010124289.tif 000006
【図５】
2010124289.tif 000007